(57)【要約】【課題】多段に積み重ねられるコンテナの積み重ね高さの低減し、最上段のコンテナの安定化を図ることである。【解決手段】積み重ねられたコンテナの上段側コンテナＡ1 の下部コーナ金具ａ1 と下段側コンテナＡ2 の上部コーナ金具ａ2 間に配置されるフランジ１の上下に各コーナ金具ａ1 、ａ2 の係合孔ｈ1 、ｈ2 に嵌合される一対の突出部２、３を設ける。フランジ１の外周に相反する方向に傾斜する一対のテーパ面１５ａ、１５ｂを設け、各テーパ面１５ａ、１５ｂを各係合孔ｈ1 、ｈ2 の開口部に設けられた面取りＣに接触させるようにして積み重ねられたコンテナＡ1 、Ａ2 の積み重ね高さの低減化を図り、最上段のコンテナの安定化を図る。【選択図】図１
2005119672.tif 000002
【特許請求の範囲】
【請求項１】
積み重ねられたコンテナの下段側コンテナの上部コーナ金具と上段側コンテナの下部コーナ金具間に配置されるフランジの上下面に各コーナ金具の係合孔に嵌合される位置決め用の突出部を設け、下部突出部には前後に貫通する貫通孔を形成し、上部突出部にはその上面から前記貫通孔に至る軸挿入孔を形成し、その軸挿入孔に挿入された回転可能な回転軸の上部に下部コーナ金具の係合孔に挿通可能とされ、前記回転軸の回転により両端部が前記係合孔を有する面板の上面に係合して上部突出部を抜け止めする係合板を設け、前記回転軸の下部にはその回転軸の半径方向に延び、前記貫通孔の開口一側縁に対する当接によって前記係合板を係合状態に保持する操作ピンを設け、この操作ピンが貫通孔の開口一側縁に当接する方向に回転軸を付勢するスプリングを設けたコンテナ位置決め具において、前記フランジの外周に下部コーナ金具および上部コーナ金具の各係合孔の開口縁に設けられた面取りに接触可能な２つの相反する方向に傾斜するテーパ面を設けたことを特徴とするコンテナ位置決め具。
【発明の詳細な説明】
【技術分野】
【０００１】
この発明は多段に積み重ねられたコンテナの位置決め具に関するものである。
【背景技術】
【０００２】
コンテナには４０フィートの長さと、２０フィートの長さの２種類が存在する。このようなコンテナを輸送するコンテナ船の船倉内にはコンテナの四隅を案内するセルガイドが設けられ、そのセルガイドによって多段に積み重ねられたコンテナのずれ動きを防止するようにしている。
【０００３】
一般に、セルガイドは、４０フィートの長さのコンテナの四隅を案内するように設けられており、２０フィートの長さのコンテナを積み込む場合は、２列に並べて多段に積み重ねるようにしている。
【０００４】
この場合、２列に積み重ねられたコンテナの対向面間には隙間があり、その対向面の隅部は何も支持されていないため、コンテナ船のピッチングやローリング等の揺れ動きによってずれ動くおそれがある。
【０００５】
そのような不都合を解消するため、上下のコンテナを位置決め具によって位置決めすることが行なわれている。
【０００６】
コンテナの位置決め具として、図４に示したものが従来から知られている。この位置決め具は、フランジ２１の上下面に設けられた一対の突出部２２、２３のそれぞれを上段側コンテナＡ1 の下部コーナ金具ａ1 に設けられた係合孔ｈ1 、および下段側コンテナＡ2 の上部コーナ金具ａ2 に設けられた係合孔ｈ2 に挿入して上下のコンテナＡ1 、Ａ2 を前後、左右方向のずれ動きを防止するようにしている。
【０００７】
ここで、コンテナＡ1 、Ａ2 の積み重ねに際しては、積み重ねられるコンテナＡ1 の下部コーナ金具ａ1 にコンテナ位置決め具をセットし、そのコンテナＡ1 を予め先に積み込まれたコンテナＡ2 で支持されるまで下降させて、下部突出部２３を上部コーナ金具ａ2 の係合孔ｈ2 に挿入する積み重ね方法が採用される。
【０００８】
下部コーナ金具ａ1 に対してコンテナ位置決め具をセット状態に保持するため、下部突出部２３に前後に貫通する貫通孔２４を形成し、上部突出部２２には上面から貫通孔２４に至る軸挿入孔２５を設け、その軸挿入孔２５に挿入された回転軸２６の上部に係合板２７を設け、回転軸２６の下部に設けられた操作ピン２８により回転軸２６を回動して係合板２７を係合解除位置に変位させ、上部突出部２２を下部コーナ金具ａ1 の係合孔ｈ1 内に挿入したのち、回転軸２６の下部に設けられたスプリング２９の弾性により回転軸２６を回転させて、係合板２７の両端部を係合孔ｈ1 を有する面板Ｐ1 の上面に係合させるようにしている。
【発明の開示】
【発明が解決しようとする課題】
【０００９】
ところで、図４に示す従来のコンテナ位置決め具においては、コンテナの位置決め状態で、上段側コンテナＡ1 の下部コーナ金具ａ1 と下段側コンテナＡ2 の上部コーナ金具ａ2 の対向面間に位置決め具のフランジ２１の厚みに相当する間隙が形成されるため、多数のコンテナを積み重ねた場合に、積み重ね高さが高くなり、最上段のコンテナの安定性に問題が生じる。
【００１０】
この発明の課題は、多段に積み重ねられたコンテナの積み重ね高さの低減化を図ることができるようにしたコンテナ位置決め具を提供することである。
【課題を解決するための手段】
【００１１】
上記の課題を解決するために、この発明においては、積み重ねられたコンテナの下段側コンテナの上部コーナ金具と上段側コンテナの下部コーナ金具間に配置されるフランジの上下面に各コーナ金具の係合孔に嵌合される位置決め用の突出部を設け、下部突出部には前後に貫通する貫通孔を形成し、上部突出部にはその上面から前記貫通孔に至る軸挿入孔を形成し、その軸挿入孔に挿入された回転可能な回転軸の上部に下部コーナ金具の係合孔に挿通可能とされ、前記回転軸の回転により両端部が前記係合孔を有する面板の上面に係合して上部突出部を抜け止めする係合板を設け、前記回転軸の下部にはその回転軸の半径方向に延び、前記貫通孔の開口一側縁に対する当接によって前記係合板を係合状態に保持する操作ピンを設け、この操作ピンが貫通孔の開口一側縁に当接する方向に回転軸を付勢するスプリングを設けたコンテナ位置決め具において、前記フランジの外周に下部コーナ金具および上部コーナ金具の各係合孔の開口縁に設けられた面取りに接触可能な２つの相反する方向に傾斜するテーパ面を設けた構成を採用したのである。
【発明の効果】
【００１２】
上記のように、フランジの外周に相反する方向に傾斜する２つのテーパ面を設けることによって、位置決め具により上下のコンテナを位置決めするコンテナの積み重ね状態において、フランジの上部テーパ面は下部コーナ金具における係合孔の開口縁に設けられた面取りに接触し、また、フランジの下部テーパ面は上部コーナ金具における係合孔の開口縁に形成された面取りに接触して、フランジの上下部が各コーナ金具の係合孔内に嵌合されるため、下部コーナ金具と上部コーナ金具の対向面間に形成される隙間は小さく、多段に積み重ねられたコンテナの積み重ね高さの低減化を図り、最上段のコンテナの安定性を向上させることができる。
【発明を実施するための最良の形態】
【００１３】
以下、この発明の実施の形態を図１乃至図３に基づいて説明する。図示のように、上段側コンテナＡ1 の下部コーナ金具ａ1 と下段側コンテナＡ2 の上部コーナ金具ａ2 の対向面間に配置されるフランジ１の上下面には突出部２、３が設けられ、上部突出部２は下部コーナ金具ａ1 の係合孔ｈ1 に対して嵌合可能とされ、一方、下部突出部３は上部コーナ金具ａ2 の係合孔ｈ2 に対して嵌合可能とされている。
【００１４】
ここで、下部コーナ金具ａ1 および上部コーナ金具ａ2 の係合孔ｈ1 およびｈ2 は両端が円弧状とされ、その両端面間の寸法が両側面間の寸法より大きい略長円状とされている。各係合孔ｈ1 、ｈ2 の開口縁には面取りＣが形成されている。
【００１５】
上部突出部２および下部突出部３の断面形状は係合孔ｈ1 、ｈ2 の形状とほぼ一致し、各係合孔ｈ1 、ｈ2 に対して少しの余裕をもって嵌合されるようになっている。
【００１６】
上部突出部２の上部外周には、係合孔ｈ1 に対する挿入を容易とするため、テーパ面４が設けられている。また、上部突出部２の前後面には軽量化を図るため凹部５が形成されている。
【００１７】
一方、下部突出部３の下部外周にも係合孔ｈ2 に対する挿入を容易とするため、テーパ面６が設けられ、かつ前後面には凹部７が形成されている。
【００１８】
下部突出部３には前後に貫通する貫通孔８が形成され、一方、上部突出部２には上面から上記貫通孔８に至る軸挿入孔９が設けられている。
【００１９】
軸挿入孔９に挿入された回転可能な回転軸１０の上部には係合板１１が設けられている。係合板１１は両端面間の寸法が両側面間の寸法より長い長方形をなし、その両端方向を上部突出部２の両端方向に一致させることによって、上部突出部２の上面外周内に納まり、その状態で下部コーナ金具ａ1 の係合孔ｈ1 内に挿入し得るようになっている。
【００２０】
また、係合板１１を係合孔ｈ1 内に挿入し、回転軸１０の回転によってほぼ９０°回転させることにより係合板１１の両端部が係合孔ｈ1 を有する面板Ｐ1 の上面に係合して、上部突出部２が係合孔ｈ1 から抜け出るのを防止するようになっている。
【００２１】
回転軸１１の貫通孔８内に位置する下端部には操作ピン１２が取付けられている。操作ピン１２は回転軸１１の半径方向に延び、下部突出部３の凹部７内において回動し得るようになっている。
【００２２】
操作ピン１２は貫通孔８の開口両側縁１３ａ、１３ｂに対する当接によって回動範囲が規制され、その操作ピン１２を一方の側縁１３ａに当接させると、係合板１１はその両端方向が上部突出部２の両端方向と直交する係合状態となり、また、他方の側縁１３ｂに当接させると、係合板１１は、その両端方向が上部突出部２の両端方向に一致する係合解除状態となる。
【００２３】
操作ピン１２の下部にはスプリング１４が支持されている。スプリング１４は操作ピン１２が貫通孔８の一側縁１３ａに当接する方向に回転軸１０を付勢している。
【００２４】
図１および図３に示すように、フランジ１の外周には相反する方向に傾斜する２つのテーパ面１５ａ、１５ｂが上下に設けられ、上部テーパ面１５ａは下部コーナ金具ａ1 の係合孔ｈ1 の開口縁に形成された面取りＣに接触可能とされ、一方、下部テーパ面１５ｂは上部コーナ金具ａ2 の係合孔ｈ2 の開口縁に形成された面取りＣに接触可能とされている。
【００２５】
実施の形態で示すコンテナ位置決め具は上記の構造から成り、上段側コンテナＡ1 の位置決めに際しては、その上段側コンテナＡ1 の下部コーナ金具ａ1 にコンテナ位置決め具をセットしたのち、上段側コンテナＡ1 を先に積み込まれた下段側コンテナＡ2 の上面で支持される位置まで下降させて、コンテナ位置決め具の下部突出部３を下段側コンテナＡ2 の上部コーナ金具ａ2 の係合孔ｈ2 に挿入する。
【００２６】
上段側コンテナＡ1 の下部コーナ金具ａ1 に対するコンテナ位置決め具のセットに際しては、操作ピン１２をスプリング１４の弾性に抗して貫通孔８の他側縁１３ｂに当接する位置まで回動して係合板１１を係合解除位置としたのち、上部突出部２を下部コーナ金具ａ1 の係合孔ｈ1 に挿入する。そして、上記係合板１１が係合孔ｈ1 を貫通する状態で操作ピン１２の押圧を解除し、スプリング１４の弾性により回転軸１０を回転させて係合板１１を係合位置に変位させ、係合孔ｈ1 を有する面板Ｐ1 の上面に対する係合板１１の両端の係合によって上部突出部２を抜け止めする。
【００２７】
上記コンテナ位置決め具の下部突出部３を下段側コンテナＡ2 の上部コーナ金具ａ2 の係合孔ｈ2 に挿入して上段側コンテナＡ1 を位置決めすると、フランジ１の上部テーパ面１５ａは下部コーナ金具ａ1 の係合孔ｈ1 に形成された面取りＣに接触し、また、フランジ１の下部のテーパ面１５ｂは上部コーナ金具ａ2 の係合孔ｈ2 に形成された面取りＣに接触し、フランジ１の上下部が上、下のコーナ金具ａ1 、ａ2 の係合孔ｈ1 、ｈ2 内に嵌合されることになる。
【００２８】
このため、下部コーナ金具ａ1 と上部コーナ金具ａ2 の対向面間にはフランジ１の厚みより小さい間隙が形成されることになり、複数のコンテナを多段に積み重ねた場合に、コンテナの積み重ね高さは従来の場合より低くなり、最上段のコンテナの安定化を図ることができる。
【図面の簡単な説明】
【００２９】
【図１】この発明にかかるコンテナ位置決め具の実施形態を示す正面図
【図２】図１の平面図
【図３】図１のIII −III 線に沿った断面図
【図４】従来のコンテナ位置決め具を示す正面図
【符号の説明】
【００３０】
１    フランジ
２    上部突出部
３    下部突出部
８    貫通孔
９    軸挿入孔
１０    回転軸
１１    係合板
１２    操作ピン
１３ａ    側縁
１４    スプリング
１５ａ、１５ｂ    テーパ面
Ａ1     上段側コンテナ
ａ1     下部コーナ金具
ｈ1     係合孔
Ａ2     下段側コンテナ
ａ2     上部コーナ金具
ｈ2     係合孔
【図１】
2005119672.tif 000003
【図２】
2005119672.tif 000004
【図３】
2005119672.tif 000005
【図４】
2005119672.tif 000006